(57)【要約】【課題】  購入者等が、歌手のように上手に唄うことができるような工夫を凝らすと共に、制作費および販売価格を低減することのできるカラオケ練習用記録担体を提供する。【解決手段】  音楽用のコンパクトディスクであり、歌手が唄ったメイン楽曲１と、メイン楽曲と同一歌手による唄い方の指導２と、メイン楽曲のカラオケ３とが録音されている。また、最初に、メイン楽曲１が再生され、それに続いて、メイン楽曲の指導２が再生され、さらにそれに続いて、メイン楽曲のカラオケ３が再生される。さらに、メイン楽曲の唄い方の指導２が、メイン楽曲１を唄った歌手によって行われる。【選択図】      図１
2010197918.tif 000002
【特許請求の範囲】
【請求項１】
主としてカラオケの練習に使用する記録担体であって、歌手が唄ったメイン楽曲（１）と、前記メイン楽曲と同一歌手による唄い方の指導（２）と、前記メイン楽曲のカラオケ（３）とが録音されていることを特徴とするカラオケ練習用記録担体。
【請求項２】
主としてカラオケの練習に使用する記録担体であって、歌手が唄ったメイン楽曲（１）と、前記メイン楽曲と同一歌手による唄い方の指導（２）と、前記メイン楽曲のカラオケ（３）とが録音されており、最初に、前記メイン楽曲が再生され、それに続いて、前記メイン楽曲の指導が再生され、さらにそれに続いて、前記メイン楽曲のカラオケが再生されることを特徴とするカラオケ練習用記録担体。
【請求項３】
主としてカラオケの練習に使用する記録担体であって、歌手が唄ったメイン楽曲（１）と、前記メイン楽曲と同一歌手による唄い方の指導（２）と、前記メイン楽曲のカラオケ（３）とが録音されており、最初に、前記メイン楽曲のカラオケが再生され、それに続いて、前記メイン楽曲が再生され、さらにそれに続いて、前記メイン楽曲の指導が再生されることを特徴とするカラオケ練習用記録担体。
【請求項４】
記録担体がカップリング曲を含まないＣＤであることを特徴とする請求項１、２または３に記載のカラオケ練習用記録担体。
【発明の詳細な説明】
【技術分野】
【０００１】
本発明は、主としてカラオケの練習に使用するＣＤ（コンパクトディスク）や磁気テープの記録担体に関するものである。
【背景技術】
【０００２】
近年、楽曲を録音した音楽用ＣＤ（例えば、特許文献１参照）が流通している。また、一般に市販されているシングル盤の音楽用ＣＤは、歌手が唄ったメイン楽曲（一曲目の楽曲）およびカップリング曲（二曲目の楽曲）と、それらのカラオケが録音されている。
【０００３】
従って、こうした音楽用ＣＤの購入者等は、歌手が唄うメイン楽曲（またはカップリング曲）を聞いた後、歌手の唄い方を真似ながらカラオケに合わせて唄うのが通常である。
【発明の概要】
【発明が解決しようとする課題】
【０００４】
しかし、従来の音楽用ＣＤを使用して、そのカラオケに合わせて唄うことは必ずしも効果的な練習方法とは言えず、従って、一般に、その歌手のように上手に唄うことが困難である。それは、歌手は、その歌をどのように唄えば聴者の心を掴むことができるかを熟知しているのに対し、音楽用ＣＤの購入者等はそうした唄い方を知らないからである。
【０００５】
本発明はこうした問題に鑑み創案されたもので、購入者等が、カラオケを効果的に練習することができ、それにより、歌手のように上手に唄うことができるような工夫を凝らした音楽用カラオケ練習用記録担体を提供することを課題とする。
【課題を解決するための手段】
【０００６】
図１乃至図３を参照して説明する。請求項１に記載のカラオケ練習用記録担体１０は、主としてカラオケの練習に使用する記録担体であって、歌手が唄ったメイン楽曲１と、前記メイン楽曲と同一歌手による唄い方の指導２と、前記メイン楽曲のカラオケ３とが録音されていることを特徴とするものである（図１参照）。
【０００７】
ここで、メイン楽曲１と、唄い方の指導２と、カラオケ３とは、順序を問わないが、３つが連続して録音されていることが必要である。
【０００８】
ここで「唄い方の指導２」とは、例えば、メイン楽曲１のサビの部分をどのように強調するかなどを、言葉や自らの唄で示すことによってアドバイスすることを言う。
【０００９】
また、「記録担体」としては、ＣＤ（Ｃｏｍｐａｃｔ  Ｄｉｓｋ）や磁気テープを意味する。
【００１０】
請求項２に記載のカラオケ練習用記録担体１０は、主としてカラオケの練習に使用する記録担体であって、歌手が唄ったメイン楽曲１と、前記メイン楽曲と同一歌手による唄い方の指導２と、前記メイン楽曲のカラオケ３とが録音されている。また、最初に、前記メイン楽曲１が再生され、それに続いて、前記メイン楽曲の唄い方の指導２が再生され、さらにそれに続いて、前記メイン楽曲のカラオケ３が再生されることを特徴とするものである（図２参照）。
【００１１】
請求項３に記載のカラオケ練習用記録担体１０は、主としてカラオケの練習に使用する記録担体であって、歌手が唄ったメイン楽曲１と、前記メイン楽曲と同一歌手による唄い方の指導２と、前記メイン楽曲のカラオケ３とが録音されている。また、最初に、前記メイン楽曲のカラオケ３が再生され、それに続いて、前記メイン楽曲１が再生され、さらにそれに続いて、前記メイン楽曲の唄い方の指導２が再生されることを特徴とするものである（図３参照）。
【００１２】
請求項４に記載のカラオケ練習用記録担体１０は、記録担体がカップリング曲を含まないＣＤであることを特徴とするものである。
【発明の効果】
【００１３】
請求項１に記載のカラオケ練習用記録担体１０は、歌手が唄ったメイン楽曲１と、メイン楽曲と同一歌手による唄い方の指導２と、メイン楽曲のカラオケ３とが録音されているので、当該カラオケ練習用記録担体１０の購入者等は、メイン楽曲１を聴いて楽しむことができると共に、効果的に練習により、そのメイン楽曲１を上手に唄うことができる。
【００１４】
すなわち、購入者等は、歌手が唄うメイン楽曲１を聴くことの他に、同一歌手による唄い方の指導２を受けることができるので、例えば、サビの部分を指導通りに唄うなど、カラオケの効果的な練習を行うことができる。これにより、メイン楽曲１をカラオケに合わせて上手に唄うことができるようになる。
【００１５】
請求項２に記載のカラオケ練習用記録担体１０は、請求項１に記載の発明同様の効果を発揮する。また、このカラオケ練習用記録担体１０は、最初に、メイン楽曲１が再生され、それに続いて、メイン楽曲の同一歌手による指導２が再生され、さらにそれに続いて、メイン楽曲のカラオケ３が再生される。従って、購入者等は、カラオケ３に合わせて唄う前に、歌手が唄うメイン楽曲１を聴き、続いて、そのメイン楽曲と同一歌手による唄い方の指導２を受けることができる。その結果、カラオケの効果的な練習を行うことができ、このメイン楽曲１を、さらに上手に唄うことができるようになる。
【００１６】
請求項３に記載のカラオケ練習用記録担体１０は、請求項１に記載の発明同様の効果を発揮する。また、このカラオケ練習用記録担体１０は、最初に、メイン楽曲のカラオケ３が再生され、それに続いて、メイン楽曲１が再生され、さらにそれに続いて、メイン楽曲の指導２が再生される。従って、購入者等は、カラオケ３を聞いた後に、歌手が唄うメイン楽曲１を聴き、続いて、そのメイン楽曲の同一歌手による唄い方の指導２を受け、更に最初に戻ってカラオケ３の部分のみ数度繰返して練習することができる。その結果、このメイン楽曲１を、さらに上手に唄うことができるようになる。
【００１７】
請求項４に記載のカラオケ練習用記録担体１０は、請求項１乃至３に記載の発明と同様の効果を発揮する。また、このカラオケ練習用記録担体１０は、カップリング曲を録音していないＣＤなので、安価な販売価格で需要者に提供出来る。
【図面の簡単な説明】
【００１８】
【図１】本発明に係るカラオケ練習用記録担体の実施形態を示す平面図である。
【図２】図１に示すカラオケ練習用記録担体の再生の順序を示すフローチャートである。
【図３】本発明に係るカラオケ練習用記録担体の他の実施形態における再生の順序を示すフローチャートである。
【発明を実施するための形態】
【００１９】
本発明に係るカラオケ練習用記録担体１０の実施形態を、図１および図２に示す。これは、シングル盤の音楽用ＣＤ（コンパクトディスク）１０ａであり、その中には歌手が唄ったメイン楽曲１と、そのメイン楽曲と同一歌手による唄い方の指導２と、当該メイン楽曲のカラオケ３とがそれぞれ録音されている。なお、このＣＤ１０ａには、カップリング曲は録音されていない。
【００２０】
また、このＣＤ１０ａは、最初に、メイン楽曲１が再生され、それに続いて、メイン楽曲の指導２が再生され、さらにそれに続いて、メイン楽曲のカラオケ３が再生される。さらに、メイン楽曲の唄い方の指導２が、そのメイン楽曲１を唄った歌手によって行われている。
【００２１】
本実施形態に係るカラオケ練習用記録担体１０（ＣＤ１０ａ）は、その購入者等が、歌手が唄うメイン楽曲１を聴くことによって音楽鑑賞を楽しむことができる。また、メイン楽曲１を聴く他に、そのメイン楽曲と同一歌手による唄い方の指導２を受けることができるので、カラオケ３に合わせて、例えば、Ａメロやサビの部分を指導に従うことで効果的な練習ができる。その結果、より上手く唄うことができるようになる。
【００２２】
また、このカラオケ練習用記録担体１０（ＣＤ１０ａ）は、最初に、メイン楽曲１が再生され、それに続いて、メイン楽曲と同一歌手による指導２が再生され、さらにそれに続いて、メイン楽曲のカラオケ３が再生されるので、購入者等は、カラオケ３に合わせて唄う前に、歌手が唄うメイン楽曲１を聴き、続いて、そのメイン楽曲の唄い方の指導２を受けることができる。従って、カラオケを効果的に練習することができ、このメイン楽曲１をさらに上手に唄うことができるようになる。
【００２３】
さらに、このカラオケ練習用記録担体１０（ＣＤ１０ａ）は、メイン楽曲の唄い方の指導２が、メイン楽曲１を唄った歌手によって行われるので、実質的に、その歌手から直接指導を受けることができる。こうした効果的に練習により、さらに上手に唄うことができるようになる。
【００２４】
また、このカラオケ練習用記録担体１０（ＣＤ１０ａ）に、カップリング曲を録音しなければ、必然的に制作費を抑えることができ、それに伴い、販売価格も低減することができる。なお、カップリング曲とその指導およびそのカラオケ３を録音することも可能である。
【００２５】
なお、上記実施形態に係るカラオケ練習用記録担体１０においては、図２に示したように、最初に、メイン楽曲１が再生され、それに続いて、メイン楽曲と同一歌手による指導２が再生され、さらにそれに続いて、メイン楽曲のカラオケ３が再生されるものであるが、本発明はこれに限定されない。従って、例えば、図３に示すように、最初に、メイン楽曲のカラオケ３が再生され、それに続いて、メイン楽曲１が再生され、さらにそれに続いて、メイン楽曲の指導２が再生されるように設定することができる。
【００２６】
本発明に係るカラオケ練習用記録担体１０は、上記以外に、カラオケ教室やカラオケルーム等以外の自由な場所（例えば、自宅）でカラオケを簡単に練習することができるというメリットがある。また、販売価格を低減することができるので、違法なダビングを削減することができるといったメリットもある。
【００２７】
なお、本発明に係るカラオケ練習用記録担体１０としては、上記実施形態に係るＣＤ（Ｃｏｍｐａｃｔ  Ｄｉｓｋ）１０ａ、あるいは磁気テープを用いている。
【符号の説明】
【００２８】
１        メイン楽曲
２        メイン楽曲の同一歌手による唄い方の指導
３        メイン楽曲のカラオケ
１０      カラオケ練習用記録担体
１０ａ    ＣＤ
【先行技術文献】
【特許文献】
【００２９】
【特許文献１】特開０８−３０６１２４号公報
【図１】
2010197918.tif 000003
【図２】
2010197918.tif 000004
【図３】
2010197918.tif 000005
【手続補正書】
【提出日】平成21年3月4日(2009.3.4)
【手続補正１】
【補正対象書類名】明細書
【補正対象項目名】全文
【補正方法】変更
【補正の内容】
【発明の詳細な説明】
【技術分野】
【０００１】
本発明は、主としてカラオケの練習に使用するＣＤ（コンパクトディスク）や磁気テープの記録担体に関するものである。
【背景技術】
【０００２】
近年、楽曲を録音した音楽用ＣＤ（例えば、特許文献１参照）が流通している。また、一般に市販されているシングル盤のカラオケ練習用ＣＤは、歌手が唄ったメイン楽曲（一曲目の楽曲）およびカップリング曲（二曲目の楽曲）と（これらの楽曲は通常「歌入り」と呼ばれている）、それらのカラオケが録音されている。
【０００３】
従って、こうした音楽用ＣＤの購入者等は、歌手が唄うメイン楽曲（またはカップリング曲）を聞いた後、歌手の唄い方を真似ながらカラオケに合わせて唄うのが通常である。
【発明の概要】
【発明が解決しようとする課題】
【０００４】
しかし、従来の音楽用ＣＤを使用して、そのカラオケに合わせて唄うことは必ずしも効果的な練習方法とは言えず、従って、一般に、その歌手のように上手に唄うことが困難である。それは、歌手は、その歌をどのように唄えば聴者の心を掴むことができるかを熟知しているのに対し、音楽用ＣＤの購入者等はそうした唄い方を知らないからである。
【０００５】
本発明はこうした問題に鑑み創案されたもので、購入者等が、カラオケを効果的に練習することができ、それにより、歌手のように上手に唄うことができるような工夫を凝らした音楽用カラオケ練習用記録担体を提供することを課題とする。
【課題を解決するための手段】
【０００６】
図１乃至図３を参照して説明する。請求項１に記載のカラオケ練習用記録担体１０は、主としてカラオケの練習に使用する記録担体であって、歌手が唄ったメイン楽曲１と、前記メイン楽曲と同一歌手による唄い方の指導２と、前記メイン楽曲のカラオケ３とが録音されていることを特徴とするものである（図１参照）。
【０００７】
ここで、メイン楽曲１と、唄い方の指導２と、カラオケ３とは、順序を問わないが、３つが連続して録音されていることが必要である。
【０００８】
ここで「唄い方の指導２」とは、例えば、メイン楽曲１のサビの部分をどのように強調するかなどを、言葉や自らの唄で示すことによってアドバイスすることを言う。
【０００９】
また、「記録担体」としては、ＣＤ（Ｃｏｍｐａｃｔ  Ｄｉｓｋ）や磁気テープを意味する。
【００１０】
請求項２に記載のカラオケ練習用記録担体１０は、主としてカラオケの練習に使用する記録担体であって、歌手が唄ったメイン楽曲１と、前記メイン楽曲と同一歌手による唄い方の指導２と、前記メイン楽曲のカラオケ３とが録音されている。また、最初に、前記メイン楽曲１が再生され、それに続いて、前記メイン楽曲の唄い方の指導２が再生され、さらにそれに続いて、前記メイン楽曲のカラオケ３が再生されることを特徴とするものである（図２参照）。
【００１１】
請求項３に記載のカラオケ練習用記録担体１０は、主としてカラオケの練習に使用する記録担体であって、歌手が唄ったメイン楽曲１と、前記メイン楽曲と同一歌手による唄い方の指導２と、前記メイン楽曲のカラオケ３とが録音されている。また、最初に、前記メイン楽曲のカラオケ３が再生され、それに続いて、前記メイン楽曲１が再生され、さらにそれに続いて、前記メイン楽曲の唄い方の指導２が再生されることを特徴とするものである（図３参照）。
【００１２】
請求項４に記載のカラオケ練習用記録担体１０は、記録担体がカップリング曲を含まないＣＤであることを特徴とするものである。
【発明の効果】
【００１３】
請求項１に記載のカラオケ練習用記録担体１０は、歌手が唄ったメイン楽曲１と、メイン楽曲と同一歌手による唄い方の指導２と、メイン楽曲のカラオケ３とが録音されているので、当該カラオケ練習用記録担体１０の購入者等は、メイン楽曲１を聴いて楽しむことができると共に、効果的に練習により、そのメイン楽曲１を上手に唄うことができる。
【００１４】
すなわち、購入者等は、歌手が唄うメイン楽曲１を聴くことの他に、同一歌手による唄い方の指導２を受けることができるので、例えば、サビの部分を指導通りに唄うなど、カラオケの効果的な練習を行うことができる。これにより、メイン楽曲１をカラオケに合わせて上手に唄うことができるようになる。
【００１５】
請求項２に記載のカラオケ練習用記録担体１０は、請求項１に記載の発明同様の効果を発揮する。また、このカラオケ練習用記録担体１０は、最初に、メイン楽曲１が再生され、それに続いて、メイン楽曲の同一歌手による指導２が再生され、さらにそれに続いて、メイン楽曲のカラオケ３が再生される。従って、購入者等は、カラオケ３に合わせて唄う前に、歌手が唄うメイン楽曲１を聴き、続いて、そのメイン楽曲と同一歌手による唄い方の指導２を受けることができる。その結果、カラオケの効果的な練習を行うことができ、このメイン楽曲１を、さらに上手に唄うことができるようになる。
【００１６】
請求項３に記載のカラオケ練習用記録担体１０は、請求項１に記載の発明同様の効果を発揮する。また、このカラオケ練習用記録担体１０は、最初に、メイン楽曲のカラオケ３が再生され、それに続いて、メイン楽曲１が再生され、さらにそれに続いて、メイン楽曲の指導２が再生される。従って、購入者等は、カラオケ３を聞いた後に、歌手が唄うメイン楽曲１を聴き、続いて、そのメイン楽曲の同一歌手による唄い方の指導２を受け、更に最初に戻ってカラオケ３の部分のみ数度繰返して練習することができる。その結果、このメイン楽曲１を、さらに上手に唄うことができるようになる。
【００１７】
請求項４に記載のカラオケ練習用記録担体１０は、請求項１乃至３に記載の発明と同様の効果を発揮する。また、このカラオケ練習用記録担体１０は、カップリング曲を録音していないＣＤなので、安価な販売価格で需要者に提供出来る。
【図面の簡単な説明】
【００１８】
【図１】本発明に係るカラオケ練習用記録担体の実施形態を示す平面図である。
【図２】図１に示すカラオケ練習用記録担体の再生の順序を示すフローチャートである。
【図３】本発明に係るカラオケ練習用記録担体の他の実施形態における再生の順序を示すフローチャートである。
【発明を実施するための形態】
【００１９】
本発明に係るカラオケ練習用記録担体１０の実施形態を、図１および図２に示す。これは、シングル盤の音楽用ＣＤ（コンパクトディスク）１０ａであり、その中には歌手が唄ったメイン楽曲１と、そのメイン楽曲と同一歌手による唄い方の指導２と、当該メイン楽曲のカラオケ３とがそれぞれ録音されている。なお、このＣＤ１０ａには、カップリング曲は録音されていない。
【００２０】
また、このＣＤ１０ａは、最初に、メイン楽曲１が再生され、それに続いて、メイン楽曲の指導２が再生され、さらにそれに続いて、メイン楽曲のカラオケ３が再生される。さらに、メイン楽曲の唄い方の指導２が、そのメイン楽曲１を唄った歌手によって行われている。
【００２１】
本実施形態に係るカラオケ練習用記録担体１０（ＣＤ１０ａ）は、その購入者等が、歌手が唄うメイン楽曲１を聴くことによって音楽鑑賞を楽しむことができる。また、メイン楽曲１を聴く他に、そのメイン楽曲と同一歌手による唄い方の指導２を受けることができるので、カラオケ３に合わせて、例えば、Ａメロやサビの部分を指導に従うことで効果的な練習ができる。その結果、より上手く唄うことができるようになる。
【００２２】
また、このカラオケ練習用記録担体１０（ＣＤ１０ａ）は、最初に、メイン楽曲１が再生され、それに続いて、メイン楽曲と同一歌手による指導２が再生され、さらにそれに続いて、メイン楽曲のカラオケ３が再生されるので、購入者等は、カラオケ３に合わせて唄う前に、歌手が唄うメイン楽曲１を聴き、続いて、そのメイン楽曲の唄い方の指導２を受けることができる。従って、カラオケを効果的に練習することができ、このメイン楽曲１をさらに上手に唄うことができるようになる。
【００２３】
さらに、このカラオケ練習用記録担体１０（ＣＤ１０ａ）は、メイン楽曲の唄い方の指導２が、メイン楽曲１を唄った歌手によって行われるので、実質的に、その歌手から直接指導を受けることができる。こうした効果的に練習により、さらに上手に唄うことができるようになる。
【００２４】
また、このカラオケ練習用記録担体１０（ＣＤ１０ａ）に、カップリング曲を録音しなければ、必然的に制作費を抑えることができ、それに伴い、販売価格も低減することができる。なお、カップリング曲とその指導およびそのカラオケ３を録音することも可能である。
【００２５】
なお、上記実施形態に係るカラオケ練習用記録担体１０においては、図２に示したように、最初に、メイン楽曲１が再生され、それに続いて、メイン楽曲と同一歌手による指導２が再生され、さらにそれに続いて、メイン楽曲のカラオケ３が再生されるものであるが、本発明はこれに限定されない。従って、例えば、図３に示すように、最初に、メイン楽曲のカラオケ３が再生され、それに続いて、メイン楽曲１が再生され、さらにそれに続いて、メイン楽曲の指導２が再生されるように設定することができる。
【００２６】
本発明に係るカラオケ練習用記録担体１０は、上記以外に、カラオケ教室やカラオケルーム等以外の自由な場所（例えば、自宅）でカラオケを簡単に練習することができるというメリットがある。また、販売価格を低減することができるので、違法なダビングを削減することができるといったメリットもある。
【００２７】
なお、本発明に係るカラオケ練習用記録担体１０としては、上記実施形態に係るＣＤ（Ｃｏｍｐａｃｔ  Ｄｉｓｋ）１０ａ、あるいは磁気テープを用いている。
【符号の説明】
【００２８】
１        メイン楽曲
２        メイン楽曲の同一歌手による唄い方の指導
３        メイン楽曲のカラオケ
１０      カラオケ練習用記録担体
１０ａ    ＣＤ
【先行技術文献】
【特許文献】
【００２９】
【特許文献１】特開０８−３０６１２４号公報